(57)【要約】【課題】  導電体を接合する工程が不要となってコイル製品価格の低廉化を図りながら、接続部信頼性の低下を招くことのない、巻き構造のコイルを簡単に提供する。【解決手段】  コイル１は、非磁性体または磁性体からなる下側基材２および上側基材３と、電気絶縁性を有するシート４とを備えて構成されている。下側基材２は、底面２ａに対向する一面２ｂに、シート４の矩形状の曲がりに下方から嵌合する凹凸形状を有する。上側基材３は、上面３ａに対向する一面３ｂに、シート４の矩形状の曲がりに上方から嵌合する凹凸形状を有する。これら下側基材２と上側基材３との間にシート４を挟んでプレスすることで、シート４が折り曲げられ、シート４上に形成された導体路５が巻き線形状を呈して、巻き構造コイル１が製造される。【選択図】  図１
2015005694.tif 000002
【特許請求の範囲】
【請求項１】
幅方向において所定のパターンで振幅し、長さ方向において前記パターンが所定回数周期的に繰り返される単一の導体路が電気絶縁性を有するシート上に形成され、厚み方向において、前記パターンが繰り返される周期で前記シートが曲げられて、前記導体路が巻かれたコイル。
【請求項２】
前記シートは、前記長さ方向において谷面と山面とが側面を介して交互に現れる、連続する４つの面を１周期とする周期で折り曲げられ、
前記導体路は、連続する前記面の内の第１面において次に連続する第２面に近付くに連れて振幅高さが高くなるまたは低くなる前記幅方向に振幅し、次の前記第２面を振幅高さを保ってまたはほぼ変えずに横切り、前記第２面に連続する次の第３面において次に連続する第４面に近付くに連れて振幅高さが低くなるまたは高くなる前記幅方向に振幅し、次の前記第４面を振幅高さを保ってまたはほぼ変えずに横切る
ことを特徴とする請求項１に記載のコイル。
【請求項３】
前記シートの周囲を囲む基材を備えたことを特徴とする請求項１または請求項２に記載のコイル。
【請求項４】
前記シートの曲がりに嵌合する凹凸形状を一面に有する基材を備えたことを特徴とする請求項１または請求項２に記載のコイル。
【請求項５】
前記導体路は、その巻き始めおよび巻き終わりの前記シート上に電極パットを備え、
前記シートは、前記基材の両側部を覆って前記基材の底面側に曲げ返され、前記基材の底面に前記電極パットを露出させて曲げられる
ことを特徴とする請求項４に記載のコイル。
【請求項６】
前記シートの曲がりに下方から嵌合する凹凸形状を一面に有する下側基材と、前記シートの曲がりに上方から嵌合する凹凸形状を一面に有する上側基材とを備えたことを特徴とする請求項４に記載のコイル。
【請求項７】
前記下側基材の凹凸形状と前記上側基材の凹凸形状との各凹凸ピッチおよび各凹凸深さが均一でかつ同一であることを特徴とする請求項６に記載のコイル。
【請求項８】
前記上側基材は、前記下側基材の両側部を覆って山面が前記下側基材の底面と並ぶ凸部を両端部に備え、
前記導体路は、その巻き始めおよび巻き終わりの前記シート上に電極パットを備え、
前記シートは、前記上側基材の両端部に備えられた前記凸部の山面に前記電極パットが露出して曲げられる
ことを特徴とする請求項６に記載のコイル。
【請求項９】
前記基材の側面に露出する前記導体路の巻き始めおよび巻き終わりに電気的に接続された外部電極を備えることを特徴とする請求項３または請求項４または請求項６または請求項７に記載のコイル。
【請求項１０】
前記基材は、非磁性体または磁性体からなることを特徴とする請求項３から請求項９のいずれか1項に記載のコイル。
【請求項１１】
前記下側基材と前記上側基材との間に前記シートを挟んでプレスすることで前記シートを曲げる請求項６から請求項８のいずれか1項または請求項９で引用される請求項６もしくは請求項７に記載のコイルの製造方法。
【請求項１２】
前記シートの両面に接着剤を付けて前記プレスを行うことを特徴とする請求項１１に記載のコイルの製造方法。
【発明の詳細な説明】
【技術分野】
【０００１】
本発明は、導体路が巻かれて構成されるコイルおよびその製造方法に関するものである。
【背景技術】
【０００２】
従来この種のコイルとしては、例えば、特許文献１に開示された折り曲げコイルがある。この折り曲げコイルは、電気絶縁性および可撓性を有したシート状基板が曲げ軸で折り曲げられて構成される。シート状基板の片面には、曲げ軸に対して、１つのパターンの端部の曲げ軸方向の位置と、隣接するパターンの別の端部の曲げ軸方向の位置とが一致するパターンで、多数の導電体が一定の間隔をおいて形成されている。このシート状基板が、導電体が形成された面を内側にして曲げ軸で曲げられ、互いに重なる導電体の端部が半田からなる接合材によって接合されることで、連続した導体路が形成されてヘリカル型巻線コイルが構成される。
【０００３】
また、従来、この種のコイルとして、例えば、特許文献２に開示されたボビンコイルもある。このボビンコイルは、絶縁フィルムが円筒状に湾曲されて構成される。絶縁フィルム上には、その対向する２辺に沿って複数の導体の各両端が配置され、かつ、一定のピッチで互いに隔たるように配設されて、導体列が形成されている。この絶縁フィルムが、導体列が略螺旋状に一列に繋がるように対向する２辺が合わされて円筒状に湾曲され、一方の辺に位置する導体の端部が他方の辺に位置する隣列する導体の端部に電気的に接続されることで、空芯コイル体が構成される。
【先行技術文献】
【特許文献】
【０００４】
【特許文献１】特開平１１−２６５８１３号公報
【特許文献２】特開２００２−９３６４９号公報
【発明の概要】
【発明が解決しようとする課題】
【０００５】
しかしながら、上記従来の特許文献１および特許文献２に開示されたいずれのコイルにおいても、複数の導電体を接合材によって接合することで、巻線状の導体路を形成している。このため、上記従来のいずれのコイルも、導電体を接合材によって接合する工程が必須となり、製品価格の低廉化を図ることができない。また、導電体の接続部が多数存在するため、コイルの製品としての接続部信頼性の低下を招く可能性が高い。従って、上記従来の各コイルは、導電体の一つ一つの各接続部の接続信頼性を向上させる構造もしくは製法がさらに必要となり、製品価格の上昇は免れ得ない。
【課題を解決するための手段】
【０００６】
本発明はこのような課題を解決するためになされたもので、
幅方向において所定のパターンで振幅し、長さ方向において前記パターンが所定回数周期的に繰り返される単一の導体路が電気絶縁性を有するシート上に形成され、厚み方向において、前記パターンが繰り返される周期でシートが曲げられて、導体路が巻かれたコイルを構成した。
【０００７】
本構成によれば、単一の導体路が形成されたシートが単に曲げられことで、シート上に形成された導体路が巻かれて、コイルが形成される。従って、従来のコイルのように、複数の導電体を接続してコイルを構成する導体路を形成する必要がなくなる。このため、導電体の接続部を備えること無く、巻線型コイルに似た巻き構造のコイルを形成することが可能になる。この結果、導電体を接合する工程が不要となってコイル製品価格の低廉化を図りながら、接続部信頼性の低下を招くことのない、巻線型コイルに似た巻き構造のコイルを簡単に提供することができる。
【０００８】
また、本発明は、
シートが、長さ方向において谷面と山面とが側面を介して交互に現れる、連続する４つの面を１周期とする周期で折り曲げられ、
導体路が、連続する面の内の第１面において次に連続する第２面に近付くに連れて振幅高さが高くなるまたは低くなる幅方向に振幅し、次の第２面を振幅高さを保ってまたはほぼ変えずに横切り、第２面に連続する次の第３面において次に連続する第４面に近付くに連れて振幅高さが低くなるまたは高くなる幅方向に振幅し、次の第４面を振幅高さを保ってまたはほぼ変えずに横切る
ことを特徴とする。
【０００９】
本構成によれば、導体路は、長さ方向に進行するのに連れ、コイルの厚み方向において、曲げられたシートの谷面への下降と山面への上昇を側面を介して交互に繰り返し、幅方向において、振幅高さを第１面で高くまたは低くし、第２面で保ちまたはほぼ変えず、第３面で低くまたは高くし、第４面で保ちまたはほぼ変えずに振幅し、巻き構造を呈する。
【００１０】
また、本発明は、シートの周囲を囲む基材を備えたことを特徴とする。
【００１１】
本構成によれば、シートの曲げ形状がシートの周囲を囲む基材によって保たれ、強度が確保されるので、コイルの製品取り扱い性が向上する。
【００１２】
また、本発明は、シートの曲がりに嵌合する凹凸形状を一面に有する基材を備えたことを特徴とする。
【００１３】
本構成によれば、シートの曲げ形状が、シートの曲がりに嵌合する凹凸形状を一面に有する基材によって保たれ、強度が確保されるので、コイルの製品取り扱い性が向上する。また、シートの曲がりに嵌合する凹凸形状が連続して１面に形成されたマザー基板を用いて、マザー基板の上にシートを嵌合させて個々の製品に分割することで、１枚のマザー基板から多数個の製品を取るウエハ加工によって本構造のコイルを製造することができる。
【００１４】
また、本発明は、
導体路が、その巻き始めおよび巻き終わりのシート上に電極パットを備え、
シートが、基材の両側部を覆って基材の底面側に曲げ返され、基材の底面に電極パットを露出させて曲げられる
ことを特徴とする。
【００１５】
本構成によれば、導体路の巻き始めおよび巻き終わりに導体路に一体に形成された電極パットが基材の底面に露出し、外部電極を構成する。このため、導電体の接続部を全く有すること無く、コイルに外部電極を備えることができ、外部電極を備えた巻き構造のコイルを安価にかつ接続信頼性高く提供することができる。また、基材の両側部で導体路が曲げ返されることで、コイルの長さ方向に外部電極形成のための寸法を取る必要がなくなり、コイルの長さ方向を全て巻線形成に使用することができる。このため、同外形寸法および同構成材料のコイルにおけるインダクタンス取得効率を上げることができる。
【００１６】
また、本発明は、シートの曲がりに下方から嵌合する凹凸形状を一面に有する下側基材と、シートの曲がりに上方から嵌合する凹凸形状を一面に有する上側基材とを備えたことを特徴とする。
【００１７】
本構成によれば、シートの曲がりに下方および上方から嵌合する凹凸形状をそれぞれ一面に有する下側基材および上側基材によってシートが挟まれることで、シートの曲げ形状が保たれ、強度が確保されるので、コイルの製品取り扱い性が向上する。また、シートの曲がりに下方および上方から嵌合する凹凸形状が連続してそれぞれの１面に形成された下側マザー基板および上側マザー基板を用いて、これら下側および上側マザー基板の間にシートを挟んで個々の製品に分割することで、マザー基板から多数個の製品を取るウエハ加工によって本構造のコイルを製造することができる。
【００１８】
また、本発明は、下側基材の凹凸形状と上側基材の凹凸形状との各凹凸ピッチおよび各凹凸深さが均一でかつ同一であることを特徴とする。
【００１９】
本構成によれば、下側基材または上側基材の一方を他方に対してピッチ方向にずらし、かつ反転させることで、下側基材または上側基材の一方を下側基材および上側基材の双方として用いることができる。従って、下側基材と上側基材との間に互換性が生じ、下側基材および上側基材の成形加工をプレスによって行う場合、同一のプレス金型で下側基材および上側基材のプレス成形加工を行うことができる。このため、コイルの製品１個当たりに必要とされる金型のコストを半減することができ、巻き構造コイルの製造コストをさらに低減することが可能になる。
【００２０】
また、本発明は、
上側基材が、下側基材の両側部を覆って山面が下側基材の底面と並ぶ凸部を両端部に備え、
導体路が、その巻き始めおよび巻き終わりのシート上に電極パットを備え、
シートが、上側基材の両端部に備えられた凸部の山面に電極パットが露出して曲げられる
ことを特徴とする。
【００２１】
本構成によれば、導体路の巻き始めおよび巻き終わりに導体路に一体に形成された電極パットが、上側基材の両端部に備えられた凸部の山面に露出し、外部電極を構成する。このため、導電体の接続部を全く有すること無く、コイルに外部電極を備えることができ、外部電極を備えた巻き構造のコイルを安価にかつ接続信頼性高く提供することができる。
【００２２】
また、本発明は、基材の側面に露出する導体路の巻き始めおよび巻き終わりに電気的に接続された外部電極を備えることを特徴とする。
【００２３】
本構成によれば、基材の側面に露出する導体路の巻き始めおよび巻き終わりにだけ外部電極を接続することで、基材の側面に外部電極を備える巻き構造のコイルを構成することができる。このため、導電体の接続箇所が２箇所で、接続信頼性の低下を招くことの懸念が極めて少ない、外部電極を備えた巻き構造のコイルを安価にかつ接続信頼性高く提供することができる。
【００２４】
また、本発明は、基材が、非磁性体または磁性体からなることを特徴とする。
【００２５】
本構成によれば、基材が非磁性体からなる場合には基材の透磁率が小さくなり、インダクタンスを低く抑えることができるので、高周波用途の巻き構造コイルが提供される。また、基材が磁性体からなる場合には基材の透磁率が大きくなるので、用いる磁性体の種類を選択することで、所望の大きさのインダクタンスを有する巻き構造コイルが得られる。
【００２６】
また、本発明は、下側基材と上側基材との間にシートを挟んでプレスすることでシートを曲げるコイルの製造方法を構成した。
【００２７】
本構成によれば、シートを曲げて導体路を巻き構造に加工する工程と、下側基材と上側基材とを嵌合させてシートの曲げ形状を保つ強度に加工する工程とが、下側基材と上側基材との間にシートを挟んでプレスする１つの工程で行われる。このため、製造工程が少なくなり、巻き構造コイルの製品コストをさらに低減することができる。
【００２８】
また、本発明は、シートの両面に接着剤を付けてプレスを行うことを特徴とする。
【００２９】
本構成によれば、シートを曲げて導体路を巻き構造に加工する工程と、下側基材と上側基材とを嵌合させてシートの曲げ形状を保つ強度に加工する工程と、下側基材と上側基材との間にシートを接合する工程とが、下側基材と上側基材との間にシートを挟んでプレスする１つの工程で行われる。このため、製造工程がさらに少なくなり、巻き構造コイルの製品コストをさらに低減することができる。
【発明の効果】
【００３０】
本発明によれば、上記のように、導電体を接合する工程が不要となってコイル製品価格の低廉化を図りながら、接続部信頼性の低下を招くことのない、巻線型コイルに似た巻き構造のコイルを簡単に提供することができる。
【図面の簡単な説明】
【００３１】
【図１】本発明の一実施の形態によるコイルの外観斜視図である。
【図２】図１に示すコイルを構成する下側基材および上側基材の外観斜視図である。
【図３】図１に示すコイルを構成するシートが折り曲げられる前の平面図である。
【図４】図３に示すシート上に形成された導体路のパターン周期を説明するための模式図である。
【図５】図３に示すシートが折り曲げられた状態の斜視図である。
【図６】一実施の形態の変形例によるコイルに用いられるシートの折り曲げ状態を示す斜視図である。
【図７】図６に示すシートを用いた一実施の形態の変形例によるコイルの外観斜視図である。
【図８】一実施の形態の他の変形例によるコイルの構造を示す外観斜視図である。
【図９】図８に示す構造のコイルが得られるマザー基板の側面図である。
【発明を実施するための形態】
【００３２】
次に、本発明の一実施の形態によるコイルおよびその製造方法について、説明する。
【００３３】
図１は、本実施の形態によるコイル１の外観斜視図である。
【００３４】
コイル１は、非磁性体または磁性体からなる下側基材２および上側基材３と、電気絶縁性を有するシート４とを備えて構成されており、幅Ｗ，長さＬ，厚みｔの直方体状をしている。下側基材２は、その外観が図２（ｂ）に示されるラック歯車状をしており、底面２ａに対向する一面２ｂに、シート４の矩形状の曲がりに下方から嵌合する凹凸形状をコイル１の巻き数分有する。上側基材３は、その外観が図２（ａ）に示され、上面３ａに対向する一面３ｂに、シート４の矩形状の曲がりに上方から嵌合する凹凸形状をコイル１の巻き数分有する。また、上側基材３は、下側基材２の両側部２ｃ，２ｃを覆って山面３ｃ，３ｃが下側基材２の底面２ａと並ぶ凸部３ｄ，３ｄを両端部に備えている。これら凸部３ｄ，３ｄは、基材中央部に形成された凸部よりも大きなものとなっている。下側基材２の長さは、これら凸部３ｄ，３ｄの分、上側基材３の長さよりも短くなっている。シート４は、エポキシ、ポリイミドなどの樹脂や、セラミック等の材質からなり、これら下側基材２および上側基材３の各凹凸形状部間に挟まれて、設けられている。
【００３５】
図３は、シート４が折り曲げられる前の平面図である。シート４上には単一の導体路５が、銅、銀などの一般的な内部電極材料を用いて、印刷法やリソグラフィー技術などの一般的な電極形成法によって形成されている。この導体路５は、コイル１の幅Ｗ方向において、所定の台形波状パターンで振幅し、コイル１の長さＬ方向において、この台形波状パターンがコイル１の巻き数に相当する所定回数周期的に繰り返されて、ミアンダ形状に形成されている。このシート４が、図１に示すように、厚みｔ方向において、台形波状パターンが繰り返される１周期を１周期とする周期で折り曲げられることで、導体路５は巻き線形状を呈する。
【００３６】
シート４の上記の折り曲げは、図３に一点鎖線で示す線を谷折り線ｖ、破線で示す線を山折り線ｍとして行われ、長さＬ方向において谷面Ｖと山面Ｍとが側面Ｓを介して交互に現れる、連続する４つの面を１周期とする周期で折り曲げられる。この折り曲げパターンは、図４の模式図に示すように、谷折り−山折り−山折り−谷折りを１周期としている。なお、同図において図３と同一または相当する部分には同一符号を付してその説明は省略する。導体路５は、連続する４つの面の内の、始めの谷折り線ｖで区切られる第１面Ｉの谷面Ｖにおいて、次に連続する第２面IIの側面Ｓに近付くに連れて振幅高さが高くなる幅Ｗ方向に振幅し、対角線方向に横切る。そして、次の第２面IIの側面Ｓを振幅高さを保って、長さＬ方向に平行に横切る。その後、第２面IIに連続する次の第３面IIIの山面Ｍにおいて、次に連続する第４面IVの側面Ｓに近付くに連れて振幅高さが低くなる幅Ｗ方向に振幅し、対角線方向に横切る。そして、次の第４面IVの側面Ｓを振幅高さを保って、長さＬ方向に平行に横切る。
【００３７】
従って、導体路５は、長さＬ方向に進行するのに連れ、コイル１の厚みｔ方向において、曲げられたシート４の谷面Ｖへの下降と山面Ｍへの上昇を側面Ｓを介して交互に繰り返し、幅Ｗ方向において、振幅高さを第１面Ｉで高くし、第２面IIで保ち、第３面IIIで低くし、第４面IVで保って振幅し、巻き構造を呈する。コイル１のインダクタンス分は、第１面Ｉおよび第３面IIIでの振幅高さ変化が急で、導体路５の台形波状パターンが急峻なほど大きくなるが、コイル１を製造し難くなる。
【００３８】
導体路５は、図３に示すように、その巻き始めおよび巻き終わりのシート４上に電極パット５ａ，５ａを備える。シート４は、上側基材３の両端部に備えられた凸部３ｄ，３ｄの山面３ｃ，３ｃに、電極パット５ａ，５ａが露出して折り曲げられる。このため、電極パット５ａ，５ａの前の側面Ｓにおける導体路５は、他の側面Ｓにおけるミアンダ周期の長さよりも長く形成されており、コイル１の厚みｔとなる凸部３ｄ，３ｄの高さ寸法とほぼ同じになっている。図５は、このようにして折り曲げられた状態のシート４の斜視図である。なお、同図において図３と同一または相当する部分には同一符号を付してその説明は省略する。
【００３９】
本実施形態では、下側基材２と上側基材３との間にシート４を挟んでプレスすることで、シート４が図５に示すように折り曲げられ、コイル１が製造される。この際、シート４の両面に接着剤が付けられて、プレス加工が行われる。用いる接着剤の種類は一般的な接着剤でよく、例えば、エポキシ樹脂系の接着剤などが用いられる。
【００４０】
このような本実施形態のコイル１によれば、単一の導体路５が形成された図３に示すシート４が単に曲げられことで、シート４上に形成された導体路５が巻かれて、コイル１が形成される。従って、従来のコイルのように、複数の導電体を接続してコイルを構成する導体路を形成する必要がなくなる。このため、導電体の接続部を備えること無く、巻線型コイルに似た巻き構造のコイル１を形成することが可能になる。この結果、導電体を接合する工程が不要となってコイル製品価格の低廉化を図りながら、接続部信頼性の低下を招くことのない、巻線型コイルに似た巻き構造のコイル１を簡単に提供することができる。
【００４１】
また、本実施形態のコイル１によれば、シート４の曲がりに下方および上方から嵌合する凹凸形状をそれぞれ一面２ｂおよび３ｂに有する下側基材２および上側基材３によってシート４が挟まれることで、シート４の図５に示す折り曲げ形状が保たれ、強度が確保されるので、コイル１の製品取り扱い性が向上する。
【００４２】
また、本実施形態のコイル１においては、導体路５の巻き始めおよび巻き終わりに導体路５に一体に形成された電極パット５ａ，５ａが、上側基材３の両端部に備えられた凸部３ｄ，３ｄの山面３ｃ，３ｃに露出し、外部電極を構成する。このため、導電体の接続部を全く有すること無く、コイル１に外部電極を備えることができ、外部電極を備えた巻き構造のコイル１を安価にかつ接続信頼性高く提供することができる。
【００４３】
また、本実施形態のコイル１においては、下側基材２および上側基材３がアルミナ等の非磁性体からなる場合には、下側基材２および上側基材３の透磁率が小さくなる。このため、コイル１のインダクタンスを低く抑えることができるので、高周波用途の巻き構造コイル１が提供される。また、下側基材２および上側基材３がフェライト等の磁性体からなる場合には、下側基材２および上側基材３の透磁率が大きくなる。このため、用いる磁性体の種類を選択することで、所望の大きさのインダクタンスを有する巻き構造コイル１が得られる。
【００４４】
また、本実施形態のコイル１の製造方法によれば、シート４を曲げて導体路５を巻き構造に加工する工程と、下側基材２と上側基材３とを嵌合させてシート４の曲げ形状を保つ強度に加工する工程とが、下側基材２と上側基材３との間にシート４を挟んでプレスする１つの工程で行われる。このため、製造工程が少なくなり、巻き構造コイル１の製品コストをさらに低減することができる。
【００４５】
また、本実施形態のコイル１の製造方法によれば、シート４の両面に接着剤が付けられて上記のプレス加工が行われるので、シート４を曲げて導体路５を巻き構造に加工する工程と、下側基材２と上側基材３とを嵌合させてシート４の曲げ形状を保つ強度に加工する工程と、下側基材２と上側基材３との間にシート４を接合する工程とが、下側基材２と上側基材３との間にシート４を挟んでプレスする１つの工程で行われる。このため、製造工程がさらに少なくなり、巻き構造コイル１の製品コストをさらに低減することができる。
【００４６】
なお、上記の実施形態では、導体路５が、連続する面の内の第１面Ｉにおいて第２面IIに近付くに連れて振幅高さが高くなる幅Ｗ方向に振幅し、第３面IIIにおいて第４面IVに近付くに連れて振幅高さが低くなる幅Ｗ方向に振幅する場合について、説明した。しかし、導体路５は、連続する面の内の第１面Ｉにおいて第２面IIに近付くに連れて振幅高さが低くなる幅Ｗ方向に振幅し、第３面IIIにおいて第４面IVに近付くに連れて振幅高さが高くなる幅Ｗ方向に振幅するように構成してもよい。また、上記の実施形態では、導体路５が、第２面IIおよび第３面IIIを振幅高さを保って横切る場合について、説明した。しかし、導体路５は、第２面IIおよび第３面IIIを振幅高さをほぼ変えずに、例えば円弧状に横切るように構成してもよい。
【００４７】
また、上記の実施形態では、導体路５が、振幅高さを第１面Ｉで高くし、第２面IIで保ち、第３面IIIで低くし、第４面IVで保って振幅する場合について、説明した。しかし、導体路５は、振幅高さを第１面Ｉで保ち、第２面IIで高くまたは低くし、第３面IIIで保ち、第４面IVで低くまたは高くなるように振幅する構成であってもよい。
【００４８】
また、上記の実施形態では、シート４を谷折り線ｖおよび山折り線ｍに沿って折り曲げる場合について、説明した。しかし、シート４は必ずしも折り線に沿って折り曲げる必要は無く、波状などに湾曲させることで、シート４上に形成された導体路５を巻き構造にするようにしてもよい。この場合、下側基材２および上側基材３に設けられる凹凸形状も、図２に示すような階段状では無く、波状などの湾曲状となる。
【００４９】
また、上記の実施形態では、シート４の曲がりに下方および上方から嵌合する下側基材２および上側基材３により、シート４の強度を保つ構造を構成した場合について、説明した。しかし、電極パット５ａ，５ａを露出させてシート４の周囲に樹脂を充填し、シート４の周囲を樹脂で直方体状に囲む樹脂基材などを備えることで、シート４の強度を保つ構造を構成するようにしてもよい。本構成によれば、シート４の曲げ形状がシート４の周囲を囲む樹脂などの基材によって保たれ、強度が確保されるので、本構成によっても、コイル１の製品取り扱い性が向上する。
【００５０】
また、上側基材３を備えず、シート４の曲がりに下方から嵌合する凹凸形状を一面２ｂに有する下側基材２だけを備えることで、シート４の強度を保つ構造を構成するようにしてもよい。本構成によれば、シート４の曲げ形状が下側基材２だけによって保たれ、強度が確保されるので、本構成によっても、コイル１の製品取り扱い性が向上する。
【００５１】
この際、シート４の電極パット５ａ，５ａ前の折り方を、上記の実施形態と異なり山折りとすることで、シート４は、図６の斜視図に示すように、両端部が内側に折り返された形状に折られる。なお、同図において図５と同一または相当する部分には同一符号を付してその説明は省略する。このため、下側基材２だけを備えることで得られるコイル１Ａは、図７の斜視図に外観が示されるようになる。なお、同図において図２および図６と同一または相当する部分には同一符号を付してその説明は省略する。このコイル１Ａにおいては、シート４は、下側基材２の両側部２ｃ，２ｃを覆って下側基材２の底面２ａ側に両端部が曲げ返され、下側基材２の底面２ａに電極パット５ａ，５ａを露出させて、曲げられている。
【００５２】
本構成のコイル１Ａによれば、導体路５の巻き始めおよび巻き終わりに導体路５に一体に形成された電極パット５ａ，５ａが下側基材２の底面２ａに露出し、外部電極を構成する。このため、本構成のコイル１Ａによっても、導電体の接続部を全く有すること無く、コイル１Ａに外部電極を備えることができ、外部電極を備えた巻き構造のコイル１Ａを安価にかつ接続信頼性高く提供することができる。また、下側基材２の両側部で導体路５が曲げ返されることで、コイル１Ａの長さＬ方向に外部電極形成のための寸法を図１に示すコイル１のように取る必要がなくなり、コイル１Ａの長さＬ方向を全て巻線形成に使用することができる。このため、同外形寸法および同構成材料のコイルにおけるインダクタンス取得効率を上げることができる。図７に示すコイル１Ａが奏するこのような作用効果は、凸部３ｄ，３ｄを備えない次述する図８に示す上側基材３Ａを用い、シート４を下側基材２と上側基材３Ａとの間に挟んだ構成においても、得られる。
【００５３】
また、上記の実施形態では、上側基材３の両端部に、基材中央部に形成された凸部よりも大きな凸部３ｄ，３ｄを備え、凸部３ｄ，３ｄの山面３ｃ，３ｃに電極パット５ａ，５ａを露出させて外部電極を構成した場合について、説明した。しかし、このような凸部３ｄ，３ｄを備えずに、例えば図８（ａ）の外観斜視図に示すように、上側基材３Ａを構成するようにしてもよい。なお、同図において図１と同一または相当する部分には同一符号を付してその説明は省略する。この場合、下側基材２と上側基材３Ａとによって構成される基材６の側面６ａに露出する導体路５の巻き始めおよび巻き終わりに、同図（ｂ）に示すように外部電極７を電気的に接続する。この外部電極７の形成は例えばディップ塗布法などで行われる。
【００５４】
本構成によれば、基材６の側面６ａに露出する導体路５の巻き始めおよび巻き終わりにだけ外部電極７を接続することで、基材６の側面６ａに外部電極７を備える巻き構造のコイル１Ｂを構成することができる。また、上記の実施形態のように、上側基材３の両端部に凸部３ｄ，３ｄを形成する必要が無く、また、導体路５の巻き始めおよび巻き終わりに電極パット５ａ，５ａを形成する必要も無い。このため、導電体の接続箇所が２箇所で、接続信頼性の低下を招くことの懸念が極めて少ない、外部電極７を備えた巻き構造のコイル１Ｂを安価にかつ接続信頼性高く提供することができる。
【００５５】
また、シート４の周囲を樹脂で直方体状に囲む樹脂基材などを備えて構成される上述した巻き構造のコイルや、シート４の曲がりに下方から嵌合する凹凸形状を一面２ｂに有する下側基材２だけを備えて構成される上述した巻き構造のコイル１Ａにおいて、導体路５の両端部に電極パット５ａ，５ａを備えず、樹脂基材または下側基材２の側面に導体路５の巻き始めおよび巻き終わりを露出させることで、上記の外部電極７のような外部電極を基材の側面に構成することできる。このため、このような巻き構造のコイルによっても、導電体の接続箇所が２箇所で、接続信頼性の低下を招くことの懸念が極めて少ない、外部電極を備えた巻き構造のコイルを安価にかつ接続信頼性高く提供することができる。
【００５６】
また、このように外部電極を導体路５とは別に形成する上記の巻き構造コイルにおいては、シート４の曲がりに嵌合する凹凸形状が連続して１面に形成された、基材の材質からなるマザー基板を用いて、マザー基板の上に、電極パット５ａ，５ａを備えない導体路５が連続して形成されたシート４を嵌合させて、ダイシング等によって個々の製品に分割することができる。また、電極パット５ａ，５ａを備えない導体路５が連続して形成されたシート４の周囲を囲む樹脂基材をマザー基板とし、このマザー基板をダイシング等によって分割することで、個々の製品を得ることができる。このため、１枚のマザー基板から多数個の製品を取るウエハ加工により、上記各構造のコイルを製造することができる。
【００５７】
また、図９に示す、基材の材質からなる下側マザー基板２２および上側マザー基板３３を用いて、これら下側マザー基板２２および上側マザー基板２３の間にシート４を挟んで図の点線に沿う箇所でダイシングをし、個々の製品に分割することによっても、マザー基板２２，３３から多数個の製品を取るウエハ加工によって図８に示す構造のコイル１Ｂを製造することができる。この場合、下側マザー基板２２および上側マザー基板３３には、シート４の曲がりに下方および上方から嵌合する凹凸形状が連続してそれぞれの１面に形成されている。
【００５８】
また、図８に示す巻き構造のコイル１Ｂにおいて、下側基材２の凹凸形状と上側基材３Ａの凹凸形状との各凹凸ピッチおよび各凹凸深さが均一でかつ同一の構造にすると、下側基材２または上側基材３Ａの一方を他方に対して１ピッチずらし、かつ反転させることで、下側基材２または上側基材３Ａの一方を下側基材２および上側基材３Ａの双方として用いることができる。従って、下側基材２と上側基材３Ａとの間に互換性が生じ、下側基材２および上側基材３Ａの成形加工をプレスによって行う場合、同一のプレス金型で下側基材２および上側基材３Ａのプレス成形加工を行うことができる。このため、コイル１Ｂの製品１個当たりに必要とされる金型のコストを半減することができ、巻き構造コイル１Ｂの製造コストをさらに低減することが可能になる。
【符号の説明】
【００５９】
１，１Ａ，１Ｂ…コイル
２…下側基材
２ａ…底面
２ｂ…一面
２ｃ…側面
３，３Ａ…上側基材
３ａ…上面
３ｂ…一面
３ｃ…山面
３ｄ…凸部
４…シート
５…導体路
５ａ…電極パット
Ｗ…幅
Ｌ…長さ
ｔ…厚み
ｖ…谷折り線
Ｖ…谷面
ｍ…山折り線
Ｍ…山面
Ｓ…側面
【図１】
2015005694.tif 000003
【図２】
2015005694.tif 000004
【図３】
2015005694.tif 000005
【図４】
2015005694.tif 000006
【図５】
2015005694.tif 000007
【図６】
2015005694.tif 000008
【図７】
2015005694.tif 000009
【図８】
2015005694.tif 000010
【図９】
2015005694.tif 000011